(57)【要約】【課題】表示装置において、ソースドライバを、垂直バックポーチ設定が互いに異なる複数種類の表示パネルに共通して適用可能にし、製造コストを下げる。【解決手段】液晶表示装置１のソースドライバ６は、データ信号に基づきデータ線を駆動するための信号を生成する表示信号生成部６ａと、表示信号生成部６ａに接続された垂直バックポーチ設定切替端子（切替端子）６１を有している。表示信号生成部６ａは、予め２種類の垂直バックポーチ設定が設定されているものであり、切替端子６１が接地端子６２ａ及び電源端子６２ｂのうちどちらに接続されているかに応じて、データ線を駆動する際の垂直バックポーチ設定として２種類の設定のうちいずれかを指定する。用いられる液晶パネル２に応じて切替端子６１の接続端子を変更し、液晶パネル２に画像を適切に表示可能であり、ソースドライバ６を、２種類の液晶パネル２に共通して使用可能となる。【選択図】図２
2007286351.tif 000002
【特許請求の範囲】
【請求項１】
縦方向と横方向に互いに略直交して行列をなすように配された複数の画素と、これらの画素の各行に整列するもの同士を互いに接続するように各行に配された走査線と、前記画素の各列に整列するもの同士を互いに接続するように各列に配されたデータ線とを有する液晶パネルと、
同期信号及び表示データを送信するコントローラと、
前記液晶パネルに接続され、前記コントローラから受信した同期信号に基づいて前記走査線を駆動するゲートドライバと、
前記液晶パネルに接続され、前記コントローラから受信した同期信号及び表示データに基づいて前記データ線を駆動するソースドライバと、
少なくとも前記ゲートドライバ及びソースドライバに電源を供給する電源回路とを備え、
前記ソースドライバは、前記ゲートドライバによる走査線の駆動タイミングに応じて、所定の垂直バックポーチ設定に基づいて前記データ線を駆動するように構成された液晶表示装置において、
前記ソースドライバは、
予め２種類の垂直バックポーチ設定が設定されている垂直バックポーチ設定切替手段と、
この垂直バックポーチ設定切替手段に接続された垂直バックポーチ設定切替端子と、
接地電位である接地端子と、
前記電源回路に接続され、所定の電圧に設定された電源端子とをさらに有し、
前記垂直バックポーチ設定切替端子が、前記接地端子及び電源端子のうちいずれか一方と接続された状態で設けられており、
前記垂直バックポーチ設定切替手段は、前記垂直バックポーチ設定切替端子が前記接地端子及び電源端子のどちらに接続されているかに応じて、前記予め設定されている２種類の垂直バックポーチ設定を互いに切替え指定可能であり、
用いられる液晶パネルに応じて前記接地端子及び電源端子と前記垂直バックポーチ設定切替端子との接続を変更して垂直バックポーチ設定を変更することにより、２種類の互いに異なる液晶パネルに共通して使用可能に構成されていることを特徴とする液晶表示装置。
【請求項２】
縦方向と横方向に互いに略直交して行列をなすように配された複数の画素と、これらの画素の各行に整列するもの同士を互いに接続するように各行に配された走査線と、前記画素の各列に整列するもの同士を互いに接続するように各列に配されたデータ線とを有する表示パネルと、
同期信号及び表示データを送信するコントローラと、
前記液晶パネルに接続され、前記コントローラから受信した同期信号に基づいて前記走査線を駆動するゲートドライバと、
前記液晶パネルに接続され、前記コントローラから受信した同期信号及び表示データに基づいて前記データ線を駆動するソースドライバとを備え、
前記ソースドライバは、前記ゲートドライバによる走査線の駆動タイミングに応じて、所定の垂直バックポーチ設定に基づいて前記データ線を駆動するように構成された表示装置において、
前記ソースドライバは、
予め複数種類の垂直バックポーチ設定が設定されている垂直バックポーチ設定切替手段と、
この垂直バックポーチ設定切替手段に接続された垂直バックポーチ設定切替端子とをさらに有し、
前記垂直バックポーチ設定切替手段は、前記垂直バックポーチ設定切替端子の電圧に応じて、前記データ線を駆動する際の垂直バックポーチ設定を、前記予め設定されている複数種類の垂直バックポーチ設定のうちから指定することを特徴とする表示装置。
【請求項３】
前記ソースドライバは、互いに異なる複数種類の所定の電位に設定された複数の端子をさらに備え、
前記垂直バックポーチ設定切替端子が、用いられる表示パネルに適した垂直バックポーチの値に応じて、前記複数の端子のうちいずれか１つに接続された状態で設けられており、
用いられる表示パネルに応じた垂直バックポーチ設定で前記データ線を駆動可能に構成されていることを特徴とする請求項２に記載の表示装置。
【発明の詳細な説明】
【技術分野】
【０００１】
本発明は、複数の画素を有する表示パネルをゲートドライバ及びソースドライバにより駆動する液晶表示装置及び表示装置に関する。
【背景技術】
【０００２】
従来より、例えば電子機器等に取り付けられ、液晶パネル等、複数の画素が行列をなすように配置された表示パネルを用いた表示装置が利用されている（例えば、特許文献１参照）。例えば、このような液晶表示装置において、液晶パネルの各画素は、行方向に配置された走査線及び列方向に配置されたデータ線に所定のタイミングで電圧を印加することにより駆動される。走査線には、垂直同期信号等に応じて駆動電圧が印加される。データ線には、水平同期信号と表示データ等に基づいて生成されたデータ信号に応じて駆動電圧が印加される。
【０００３】
データ線には、ソースドライバにより駆動電圧が印加される。ソースドライバは、例えばＡＳＩＣ等により構成されている。ソースドライバは、垂直同期信号の後、所定の垂直バックポーチ期間の経過後の所定のデータ有効期間に、表示データに応じた所定の駆動電圧をデータ線に印加するように構成されており、液晶パネルの垂直方向端部側の画素から画像の表示を行うように構成されている。すなわち、ソースドライバは、予め設定されている垂直バックポーチ設定に基づいてデータ線を駆動し、用いられる液晶パネルに適正に画像を表示するように構成されている。
【０００４】
ここで、従来のソースドライバは、走査線の数が異なる複数種類の液晶パネルには、共通の部品として適用できないという問題がある。例えば、第１の液晶パネルと、この液晶パネルより少し走査線の数が小さいような第２の液晶パネルを用いる場合、これらの液晶パネルに画像を表示するための表示データとしては、同一の仕様のものを用いることが可能である。しかしながら、例えば第２の液晶パネルのソースドライバとして、第１の液晶パネルに表示するために最適化された垂直バックポーチ設定のソースドライバを用いた場合、走査線の数が少ないため、表示したい画像の中心部分が液晶パネルの中央部から垂直方向にオフセットしてしまう等、表示したい画像を適正に表示させることができなくなってしまう。このような場合において、画像を適正に表示させるためには、垂直バックポーチ設定を変更して、データ有効期間が用いられる液晶パネルに応じたものになるようにしなければならない。このため、従来、互いに走査線の数の仕様が異なる液晶パネルを例えば２種類用いるときには、それぞれの液晶パネルに応じて垂直バックポーチ設定が異なる２種類のソースドライバを製造しなければならず、１種類のソースドライバの大量生産等によりソースドライバの部品コストを低減することができず、表示装置の製造コストを下げることができないという問題がある。
【０００５】
複数種類の液晶パネルに対応可能なソースドライバとしては、例えば、表示装置が搭載される電子機器の制御部と連携して垂直バックポーチ設定を変更するようなものが知られている。このようなソースドライバとしては、例えば、垂直バックポーチ設定を指定するためのデータを受信し、その情報に基づいて、垂直バックポーチ設定を変更可能に構成することにより、１種類のソースドライバで複数種類の液晶パネルに対応可能にしたものがある。しかしながら、このようなソースドライバを用いるためには、表示装置を搭載する電子機器の制御部が、垂直バックポーチ設定を指定するためのデータを出力可能に構成されていなければならない。そのため、このようなソースドライバは、制御部が垂直バックポーチ設定を指定するためのデータを出力可能に構成できないような電子機器には用いることができない。また、このようなソースドライバを用いるためには、電子機器の制御部とソースドライバとを、垂直バックポーチ設定を指定するためのデータを送受信可能に構成しなければならないため、製造コストが増加してしまうという問題がある。さらにまた、表示装置と表示装置が搭載される電子機器とが異なったメーカで製造されたものである場合には、表示装置の製造メーカが必ずしも電子機器の制御部から出力される垂直バックポーチ設定を指定するためのデータの内容を知ることができないという問題がある。なお、特許文献１には、垂直バックポーチ設定を描画先頭行指定レジスタに基づいて設定するソースドライバが記載されているが、描画行を可変にするためにカウンタ等を用いているため、回路構造が複雑であり、上述の問題に対し有効な解決策が開示されているものではない。
【特許文献１】特開２００４−２３３７７１号公報
【発明の開示】
【発明が解決しようとする課題】
【０００６】
本発明は、上記問題点を鑑みてなされたものであり、ソースドライバを互いに異なる複数種類の表示パネルに共通して適用可能にし、ソースドライバの部品コストを低減することが可能であり、製造コストを下げることが可能な表示装置を提供することを目的とする。
【課題を解決するための手段】
【０００７】
上記目的を達成するため請求項１の発明は、縦方向と横方向に互いに略直交して行列をなすように配された複数の画素と、これらの画素の各行に整列するもの同士を互いに接続するように各行に配された走査線と、前記画素の各列に整列するもの同士を互いに接続するように各列に配されたデータ線とを有する液晶パネルと、同期信号及び表示データを送信するコントローラと、前記液晶パネルに接続され、前記コントローラから受信した同期信号に基づいて前記走査線を駆動するゲートドライバと、前記液晶パネルに接続され、前記コントローラから受信した同期信号及び表示データに基づいて前記データ線を駆動するソースドライバと、少なくとも前記ゲートドライバ及びソースドライバに電源を供給する電源回路とを備え、前記ソースドライバは、前記ゲートドライバによる走査線の駆動タイミングに応じて、所定の垂直バックポーチ設定に基づいて前記データ線を駆動するように構成された液晶表示装置において、前記ソースドライバは、予め２種類の垂直バックポーチ設定が設定されている垂直バックポーチ設定切替手段と、この垂直バックポーチ設定切替手段に接続された垂直バックポーチ設定切替端子と、接地電位である接地端子と、前記電源回路に接続され、所定の電圧に設定された電源端子とをさらに有し、前記垂直バックポーチ設定切替端子が、前記接地端子及び電源端子のうちいずれか一方と接続された状態で設けられており、前記垂直バックポーチ設定切替手段は、前記垂直バックポーチ設定切替端子が前記接地端子及び電源端子のどちらに接続されているかに応じて、前記予め設定されている２種類の垂直バックポーチ設定を互いに切替え指定可能であり、用いられる液晶パネルに応じて前記接地端子及び電源端子と前記垂直バックポーチ設定切替端子との接続を変更して垂直バックポーチ設定を変更することにより、２種類の互いに異なる液晶パネルに共通して使用可能に構成されているものである。
【０００８】
請求項２の発明は、縦方向と横方向に互いに略直交して行列をなすように配された複数の画素と、これらの画素の各行に整列するもの同士を互いに接続するように各行に配された走査線と、前記画素の各列に整列するもの同士を互いに接続するように各列に配されたデータ線とを有する表示パネルと、同期信号及び表示データを送信するコントローラと、前記液晶パネルに接続され、前記コントローラから受信した同期信号に基づいて前記走査線を駆動するゲートドライバと、前記液晶パネルに接続され、前記コントローラから受信した同期信号及び表示データに基づいて前記データ線を駆動するソースドライバとを備え、前記ソースドライバは、前記ゲートドライバによる走査線の駆動タイミングに応じて、所定の垂直バックポーチ設定に基づいて前記データ線を駆動するように構成された表示装置において、前記ソースドライバは、予め複数種類の垂直バックポーチ設定が設定されている垂直バックポーチ設定切替手段と、この垂直バックポーチ設定切替手段に接続された垂直バックポーチ設定切替端子とをさらに有し、前記垂直バックポーチ設定切替手段は、前記垂直バックポーチ設定切替端子の電圧に応じて、前記データ線を駆動する際の垂直バックポーチ設定を、前記予め設定されている複数種類の垂直バックポーチ設定のうちから指定するものである。
【０００９】
請求項３の発明は、請求項２の発明において、前記ソースドライバは、互いに異なる複数種類の所定の電位に設定された複数の端子をさらに備え、前記垂直バックポーチ設定切替端子が、用いられる表示パネルに適した垂直バックポーチの値に応じて、前記複数の端子のうちいずれか１つに接続された状態で設けられており、用いられる表示パネルに応じた垂直バックポーチ設定で前記データ線を駆動可能に構成されているものである。
【発明の効果】
【００１０】
請求項１の発明によれば、ソースドライバに設けられた垂直バックポーチ設定切替端子が接地端子又は電源端子と接続されて設けられており、垂直バックポーチ設定切替端子が接地端子及び電源端子のいずれと接続されているかに応じて、垂直バックポーチ設定切替手段が、予め設定された２種類の垂直バックポーチ設定のどちらかを指定可能である。従って、用いられる液晶パネルに応じて接地端子及び電源端子と垂直バックポーチ設定切替端子との接続を変更することにより、その液晶パネルに応じた垂直バックポーチ設定でデータ線を駆動可能になる。これにより、１つのソースドライバを２種類の互いに異なる液晶パネルに共通して使用することが可能であるため、ソースドライバを大量生産して部品コストを低減することが可能になり、液晶表示装置の製造コストを下げることが可能になる。また、接地端子及び電源端子はソースドライバに設けられており、ソースドライバを、２種類の液晶パネルのうち用いられるものに応じて予め適正な垂直バックポーチ設定で駆動するように設定しておくことが可能であるため、液晶表示装置の製造をより容易に行うことが可能になる。さらにまた、液晶表示装置とこれが搭載される電子機器とが異なったメーカで製造されたものの場合でも、従来と異なり、液晶表示装置の製造メーカが、電子機器の制御部から出力される垂直バックポーチ設定を指定するためのデータの内容を知る必要がなくなる。
【００１１】
請求項２の発明によれば、ソースドライバにおいては、垂直バックポーチ設定切替手段が、垂直バックポーチ設定切替端子の電圧に応じて、垂直バックポーチ設定を、予め設定された複数種類の垂直バックポーチ設定のうちからいずれか１つに指定するので、用いられる表示パネルに応じて、データ線を駆動する際の垂直バックポーチ設定を変更可能になる。１つのソースドライバで複数種類の表示パネルに対応可能であるため、上述と同様にソースドライバの部品コストを低減し、表示装置の製造コストを下げることが可能になる。さらにまた、表示装置とこれが搭載される電子機器とが異なったメーカで製造されたものの場合でも、従来と異なり、表示装置の製造メーカが、電子機器の制御部から出力される垂直バックポーチ設定を指定するためのデータの内容を知る必要がなくなる。
【００１２】
請求項３の発明によれば、ソースドライバには、複数種類の所定の電位に設定された複数の端子が設けられており、垂直バックポーチ設定切替端子とこれらの端子のいずれか１つとが接続された状態で設けられているので、複数種類の表示パネルに対応可能なソースドライバを、予め用いられる表示パネルに応じた垂直バックポーチ設定で駆動するように構成しておくことが可能であり、表示装置の製造をより容易に行うことが可能になる。
【発明を実施するための最良の形態】
【００１３】
以下、本発明の一実施形態について図面を参照して説明する。図１は、本実施形態に係る液晶表示装置（表示装置）１の一例を示す。この液晶表示装置１は、例えばプリンタ等の電子機器１００等に搭載されている。電子機器１００は、液晶表示装置１に電子機器１００の動作情報等を表示してユーザに通知可能に構成されている。なお、電子機器１００は、プリンタ等に限られるものではない。
【００１４】
本実施形態において、液晶表示装置１は、例えば、いわゆるアクティブマトリクス型のものであって、液晶パネル２と、コントローラ３と、電源回路４と、ゲートドライバ５と、ソースドライバ６とを備えている。この液晶表示装置１は、電子機器１００のマイコン５０等と接続されており、マイコン５０から送信された画像信号に基づいて、液晶パネル２に画像を表示するように構成されている。
【００１５】
液晶パネル２は、画素２ａと、走査線２ｂと、データ線２ｃと、スイッチ素子２ｄとを有している。画素２ａは、液晶パネル２に縦方向と横方向に互いに略直交して行列をなすように、複数個配されている。走査線２ｂは、これらの画素２ａのうち、各行に整列するものにそれぞれ対応するように、複数本配されている。データ線２ｃは、これらの画素２ａのうち、各列に整列するものにそれぞれ対応するように、複数本配されている。スイッチ素子２ｄは、例えば薄膜トランジスタ（ＴＦＴ）であり、各画素２ａと対応するように配されている走査線２ｂ及びデータ線２ｃとその画素２ａとを接続するように、各画素２ａに対応するように設けられている。すなわち、走査線２ｂは、それぞれ、画素２ａの各行に整列するもの同士を互いに接続するように配されている。また、データ線２ｃは、画素２ａの、各列に整列するもの同士を互いに接続するように配されている。なお、図には、実際に液晶パネル２に設けられている複数個の画素２ａ、走査線２ｂ、データ線２ｃ、及びスイッチ素子２ｄのうち、１組のみを示している。なお、本実施形態において、液晶パネル２は、例えば、画面サイズが１．７インチであり、走査線２ｂの数が２４０本であるものが用いられている。
【００１６】
コントローラ３は、例えばＡＳＩＣ等により構成されている。コントローラ３は、外部のマイコン５０から入力される画像信号に基づいて信号処理を行い、液晶パネル２に画像を表示するための同期信号と表示データとを出力する。同期信号はゲートドライバ５及びソースドライバ６に送信され、表示データはソースドライバ６に送信される。電源回路４は、例えば電子機器１００の電源回路（図示せず）から電源供給を受け、ゲートドライバ５及びソースドライバ６に、液晶パネル２を駆動するための電源を供給するように構成されている。
【００１７】
ゲートドライバ５は、例えばＡＳＩＣ等により構成されている。ゲートドライバ５は、コントローラ３と接続されており、コントローラ３から同期信号として垂直同期信号を受信する。そして、その垂直同期信号に基づいたタイミングで、スイッチ素子２ｄを駆動するための所定の電圧を各走査線２ｂに印加する。
【００１８】
図２は、この液晶表示装置１のソースドライバ６を示す。ソースドライバ６は、例えばＡＳＩＣ等により構成されている。ソースドライバ６は、コントローラ３と接続された表示信号生成部（垂直バックポーチ設定切替手段）６ａと、電源回路４、表示信号生成部６ａ、及び液晶パネル２と接続された駆動部６ｂとを備えている。また、ソースドライバ６は、図に示すように、外部に露出するように配された複数の端子で構成されている端子部６０を備えている。この端子部６０には、表示信号生成部６ａと接続されている垂直バックポーチ設定切替端子（以下、切替端子と称する）６１と、接地電位（０Ｖ；ＧＮＤ）である接地端子６２ａと、電源回路４に接続され、ソースドライバ６の電源電圧（例えば３．３Ｖ；Ｖｃｃ）に設定された電源端子６２ｂとを有している。本実施形態において、切替端子６１は、例えば接地端子６２ａに接続された状態で配置されている。
【００１９】
表示信号生成部６ａは、コントローラ３から、同期信号として水平同期信号を受信し、また、表示データを受信する。そして、受信した同期信号及び表示データに基づいて、各データ線を駆動するためのデータ信号を生成する。ここで、表示信号生成部６ａは、後述するように、液晶パネル２に応じた所定の垂直バックポーチ設定に基づいて、データ信号を生成するように構成されている。すなわち、用いられる液晶パネル２に応じて、例えば、垂直バックポーチ期間が、垂直同期信号の立ち下がり後１２ＨＳＹＮＣ（水平同期信号）が経過するまでの間となり、各画素に表示させるための電圧を印加するデータ有効期間が２４０ＨＳＹＮＣとなるように構成されている。駆動部６ｂは、生成されたデータ信号に基づいて、電源回路４から供給される電源より液晶パネル２の各データ線２ｃを駆動するための駆動電圧を生成し、各データ線２ｃに印加する。このとき、駆動部６ｂは、各データ線２ｃに、各画素２ａがデータ信号に応じた所定の階調になるように駆動するような階調電圧で駆動電圧を印加する。
【００２０】
液晶パネル２の画素２ａは、走査線２ｂ及びデータ線２ｃが駆動されることにより駆動される。すなわち、データ線２ｃに階調電圧が印加されている状態で、走査線２ｂに駆動電圧が印加されてスイッチ素子２ｄが駆動されると、その階調電圧が画素２ａに印加される。同期信号及び垂直バックポーチ設定により、走査線２ｂの駆動タイミングと、データ線２ｃの駆動タイミング及び階調電圧の同期がとられているので、各画素２ａそれぞれに、表示データに応じた階調電圧が印加される。各画素２ａは、印加された階調電圧に応じた所定の階調を表示するように駆動される。すなわち、液晶パネル２に応じた適切な垂直バックポーチ設定に基づいてデータ線２ｃが走査線２ｂの駆動タイミングに応じて駆動されるので、液晶パネル２に、表示データに応じた画像が適切に表示される。
【００２１】
ここで、本実施形態において、表示信号生成部６ａには、予め、２種類の垂直バックポーチ設定が設定されている。この２種類の垂直バックポーチ設定は、このソースドライバ６が用いられ得る２種類の液晶パネル２の仕様にそれぞれ適合するように設定されている。表示信号生成部６ａは、切替端子６１が、端子部６０の接地端子６２ａと電源端子６２ｂのうち、どちらの電圧の端子に接続されているかに応じて、２種類の垂直バックポーチ設定のうちどちらの設定に基づいてデータ線２ｃを駆動するかを指定するように構成されている。すなわち、駆動部６ｂは、表示信号生成部６ａが切替端子６１の電圧に応じて指定した２種類のうちどちらかの垂直バックポーチ設定に基づいて、各データ線２ｃに階調電圧を印加して駆動するように構成されている。
【００２２】
以下に、図３を参照し、この表示信号生成部６ａの垂直バックポーチ設定の切替について説明する。この液晶表示装置１において、用いられ得る液晶パネル２として、図に示すように、画面サイズが１．７インチであり、走査線２ｂの数が２４０本である液晶パネル１２と、画面サイズが２．４インチであり、走査線２ｂの数が２３４本である液晶パネル２２とが想定されているとする。走査線２ｂは、ゲートドライバ５により、水平同期信号に応じて、図の矢印方向に順次駆動される。この液晶表示装置１に用いられるソースドライバ６の表示信号生成部６ａは、次のようにして２種類の垂直バックポーチ設定を互いに切替えて指定するように構成されている。
【００２３】
例えば、表示信号生成部６ａに予め設定されている２種類の垂直バックポーチ設定は、一方が、画面サイズが１．７インチの液晶パネル１２に対応する、データ有効期間が２４０ＨＳＹＮＣとなるような第１の設定であり、他方が、画面サイズが２．４インチの液晶パネル２２に対応する、データ有効期間が２３４ＨＳＹＮＣとなるような第２の設定である。第１の設定及び第２の設定において、垂直バックポーチ期間は、それぞれ、１２ＨＳＹＮＣ及び１６ＨＳＹＮＣとなっている。そして、第１の設定及び第２の設定は、それぞれ、切替端子６１の電圧０Ｖ（ＧＮＤ）及び３．３Ｖ（Ｖｃｃ）に対応付けられている。図２において、切替端子６１は、上述のように接地端子６２ａに接続されており、電圧が０Ｖである。これにより、表示信号生成部６ａは、０Ｖの電圧に対応する第１の設定を、駆動部６ｂがデータ線２ｃを駆動する際の垂直バックポーチ設定として指定するように構成されている。すなわち、ソースドライバ６は、用いられる液晶パネル１２に応じた垂直バックポーチ設定に基づいてデータ線２ｃを駆動するように、切替端子６１が接地端子６２ａに接続された状態で設けられている。
【００２４】
一方、この液晶表示装置１に用いられる液晶パネル２として、図３に２点鎖線で示すような、画面サイズが２．４インチで走査線２ｂの数が２３４本である液晶パネル２２が用いられるときには、ソースドライバ６は、切替端子６１が電源端子６２ｂに接続された状態で設けられる。すなわち、ソースドライバ６は、用いられる液晶パネル２２に応じた第２の設定でデータ線２ｃを駆動するように切替えられた状態で設けられる。このとき、垂直バックポーチ期間が、第１の設定と比較して４ＨＳＹＮＣ分だけ短い１２ＨＳＹＮＣとなることから、液晶パネル２２を、画面サイズが１．７インチの液晶パネル１２よりも、上方の走査線２ｂの数が４本（４ＨＳＹＮＣ）、下方の走査線２ｂの数が２本（２ＨＳＹＮＣ）だけ少ないものとして、同一のソースドライバ６を用いて適切に画像を表示させることができる。
【００２５】
このように、本実施形態においては、液晶表示装置１に用いられる液晶パネル２に応じて接地端子６２ａ及び電源端子６２ｂと切替端子６１との接続を変更することにより、その液晶パネル２に応じた垂直バックポーチ設定でデータ線２ｃを駆動可能になる。従って、１つのソースドライバ６を２種類の互いに異なる液晶パネル２に共通して使用することが可能であるため、ソースドライバ６を大量生産して部品コストを低減することが可能になり、液晶表示装置１の製造コストを下げることが可能になる。また、接地端子６２ａ及び電源端子６２ｂはソースドライバ６に設けられているため、切替端子６１とどちらかの端子とを接続しておくことにより、ソースドライバ６を、２種類の液晶パネル２のうち用いられるものに応じて予め適正な垂直バックポーチ設定で駆動するように設定しておくことが可能である。従って、液晶表示装置１の製造をより容易に行うことが可能になる。さらにまた、液晶表示装置１とこれが搭載される電子機器１００とが異なったメーカで製造されたものである場合でも、従来と異なり、液晶表示装置１の製造メーカが、電子機器１００の制御部から出力される垂直バックポーチ設定を指定するためのデータの内容を知る必要がなくなる。
【００２６】
なお、本発明は上記実施形態の構成に限定されるものではなく、発明の趣旨を変更しない範囲で適宜に種々の変形が可能である。例えば、駆動部は、２種類に限らず、３種類以上の複数種類の垂直バックポーチ設定について、切替端子の電圧に応じて切替可能に構成されていてもよい。また、切替端子は、端子部の端子でなく、ソースドライバの外部の回路等に接続され、その電圧に応じて駆動部の複数種類の垂直バックポーチ設定を切替え可能に構成されていてもよい。
【００２７】
さらにまた、本発明は、上述のような液晶表示装置１に限らず、例えば、パッシブマトリクス型の液晶パネルを用いた液晶表示装置や、有機ＥＬ等の複数の画素を行列をなすように用いた表示パネルを用いた表示装置にも適用可能なものである。この場合にも、表示パネルのデータ線を駆動するソースドライバが、垂直バックポーチ設定を、予め設定された複数種類のなかから切替端子の電圧に応じて切替可能なように構成することにより、ソースドライバが複数種類の表示パネルに共通して使用可能なものになり、表示装置の製造コストを下げることが可能になる。
【図面の簡単な説明】
【００２８】
【図１】本発明の一実施形態に係る液晶表示装置の一例を示すブロック図。
【図２】同上装置のソースドライバの構成を示すブロック図。
【図３】同上装置のソースドライバの適用例を説明する図。
【符号の説明】
【００２９】
１  液晶表示装置（表示装置）
２，１２，２２  液晶パネル（表示パネル）
２ａ  画素
２ｂ  走査線
２ｃ  データ線
３  コントローラ
４  電源回路
５  ゲートドライバ
６  ソースドライバ
６ａ  表示信号生成部（垂直バックポーチ設定切替手段）
６１  垂直バックポーチ設定切替端子
６２ａ  接地端子
６２ｂ  電源端子
【図１】
2007286351.tif 000003
【図２】
2007286351.tif 000004
【図３】
2007286351.tif 000005